(57)【要約】  アプリケーターは、凸状部が設置された第１の内側を有する円弧形の第１のクランプ先端を有する第１のアームと、凹状部が設置された第２の内側を有する円弧形の第２のクランプ先端を有する第２のアームとを含み、前記第１の内側は第２の内側に面し、第１のアームと第２のアームがデフォルト位置にある場合、凸状部と凹状部がお互いに分離し、第１のアームと第２のアームが把持位置である場合、凸状部と凹状部は緊密にはめ合う。
2021509322.tif 000002
【特許請求の範囲】
【請求項１】
蓋と、
ガスケットと、
蓋に連結され、蓋との間に窓が形成され、ガスケットが蓋との間に位置される本体と、を含み、
前記窓は、ガスケットがまつ毛エクステンションのベースまたは毛に弾性的に接触することで、ベースと複数の毛を有するまつ毛エクステンションを窓から突き出すように配置されることを特徴とするケース。
【請求項２】
前記蓋は、内側面を有し、前記ガスケットは、蓋の内側面に連結されることを特徴とする請求項１に記載のケース。
【請求項３】
前記蓋の外側面には目印が設置され、前記目印は方向指示印であることを特徴とする請求項１に記載のケース。
【請求項４】
前記まつ毛エクステンションは第１のまつ毛エクステンションであり、前記ベースは第１のベースであり、前記毛は複数の第１の毛であり、前記まつ毛エクステンションは、第２のベースと複数の第２の毛を有する第２のまつ毛エクステンションをさらに含み、前記第２の毛は前記第２のベースから延伸し、ガスケットが第２のベースまたは第２の毛を接触すると、第２の毛は前記窓から突き出されることを特徴とする請求項１に記載のケース。
【請求項６】
前記第１の毛と第２の毛は同じ平面に位置することを特徴とする請求項４に記載のケース。
【請求項７】
前記本体は、前記窓に通じる底板を有し、前記蓋が前記本体に連結されていないとき、前記底板は、前記ベースおよび毛を支持し、前記底板は傾斜していることを特徴とする請求項１に記載のケース。
【請求項８】
前記底板は、外側に傾斜していることを特徴とする請求項７に記載のケース。
【請求項９】
前記本体は、前記窓に通じる底板を有し、前記蓋が前記本体に連結されていないとき、前記底板は、前記ベースおよび毛を支持し、前記底板は粗い部分を有することを特徴とする請求項１に記載のケース。
【請求項１０】
前記本体が前記蓋に連結されると、前記窓は、前記本体と前記蓋とによって形成される一組の窓の１つであることを特徴とする請求項１に記載のケース。
【請求項１１】
前記蓋は、内側面を有し、前記内側面は、そこから延伸する壁を有し、前記ベースは、前記窓と前記壁との間に延伸し、前記ガスケットの少なくとも一部は、前記壁と前記窓との間に延伸することを特徴とする請求項１に記載のケース。
【請求項１２】
前記ガスケットは、弾性バンドであることを特徴とする請求項１に記載のケース。
【請求項１３】
前記ガスケットは、弾性を有することを特徴とする請求項１に記載のケース。
【請求項１４】
前記ガスケットは、連続的であることを特徴とする請求項１に記載のケース。
【請求項１５】
前記蓋は、内側面を有し、前記内側面は、そこから延伸する壁を有し、前記ベースの少なくとも一部は、前記窓と前記壁との間に延伸し、前記ガスケットの少なくとも一部は、前記壁と前記窓との間に延伸し、前記ガスケットは閉合形状であるが、壁に取り付ける前は明確な形状にならず、壁に取り付けた後は壁の形状に対応するように明確な形状になることを特徴とする請求項１に記載のケース。
【請求項１６】
前記蓋は、内側面を有し、前記内側面は、そこから延伸する壁を有し、前記ベースは、前記窓と前記壁との間に延伸し、前記ガスケットは、前記壁と前記窓との間に延伸し、前記ガスケットは壁の形状に対応するように壁に取り付ける前は明確な形状になっていることを特徴とする請求項１に記載のケース。
【請求項１７】
前記蓋は、内側面を有し、前記内側面は、そこから延伸する壁を有し、前記ベースは、前記窓と前記壁との間に延伸し、前記ガスケットは、前記壁と前記窓との間に延伸し、前記壁への弾性摩擦力または前記壁への内部に向けた圧力により、前記ガスケットを元の位置に保持することを特徴とする請求項１に記載のケース。
【請求項１８】
前記蓋は、内側面を有し、前記内側面は、そこから延伸する壁を有し、前記ベースは、前記窓と前記壁との間に延伸し、前記ガスケットは、前記壁と前記窓との間に延伸し、前記ガスケットは、前記壁に固定されていることを特徴とする請求項１に記載のケース。
【請求項１９】
前記蓋は、お互いに離間され、ガスケットに沿って延伸する複数の突起を有し、前記本体が前記蓋に連結すると、少なくとも１つの前記突起は、前記ベースまたは毛に接合し、前記本体が前記蓋に連結すると、少なくとも１つの突起は、ガスケットと窓との間に位置することを特徴とする請求項１に記載のケース。
【請求項２０】
少なくとも１つの前記突起は、ガスケットが位置する領域に近接し、前記領域は、前記領域がまつ毛エクステンションに接触したとき、まつ毛エクステンションの移動を摩擦によって制限することを助けるように配置されることを特徴とする請求項１９に記載のケース。
【請求項２１】
ガスケットがベースまたは毛に弾性的に接触すると、前記毛が窓の外に突き出ることを特徴とする請求項１に記載のケース。
【請求項２２】
前記ガスケットは、前記蓋および前記本体と分離していることを特徴とする請求項１に記載のケース。
【請求項２３】
前記ガスケットは、１つの壁および複数のタブを含み、前記タブは、壁から放射状に伸びており、少なくとも１つのタブは、ベースまたは毛に接触していることを特徴とする請求項２２に記載のケース。
【請求項２４】
前記少なくとも１つのタブは、ベースまたは毛に接触する突起を有することを特徴とする請求項２３に記載のケース。
【請求項２５】
前記少なくとも１つのタブは、Ｌ字型で壁から伸びていることを特徴とする請求項２４に記載のケース。
【請求項２６】
まつ毛エクステンションを収納するためのケースの製造方法であって、
蓋を提供することと、
ガスケットを提供することと、
本体を提供することと、
本体と蓋が窓を形成するように、蓋を本体に連結させ、ガスケットを蓋または本体に連結し、ガスケットが蓋と本体との間に位置させることとを含み、
前記窓は、ガスケットがまつ毛エクステンションのベースまたは毛に弾性的に接触することにより、ベースと複数の毛を有するまつ毛エクステンションを窓から突き出すように配置されることを特徴とするケースの製造方法。
【発明の詳細な説明】
【技術分野】
【０００１】
「関連出願の相互参照」
本出願は、２０１８年１０月１９日に提出された、米国仮出願番号ＵＳ６２／７４８３３５に対して優先権を主張する。本出願は、当該出願の全体が参照によりここに組み込まれる。
【０００２】
本発明は、まつ毛エクステンションを収納するためのケースに関する。
【背景技術】
【０００３】
まつ毛エクステンションは、ケースに収納できる。しかし、輸送過程において、まつ毛エクステンションがケースから取り外れて、まつ毛エクステンションの損傷または紛失を引き起こす可能性がある。
【発明の概要】
【発明が解決しようとする課題】
【０００４】
広義には、本発明は、まつ毛エクステンションを収納するための様々なケース、前記ケースの使用方法および製造方法を開示する。特に、これらのケースは、ガスケットまたは傾斜した底板を含み、まつ毛エクステンションが輸送中にケースからずれないようにすることを助けることができる。
【課題を解決するための手段】
【０００５】
一実施例において、ケースは、蓋と、ガスケットと、蓋に連結され、蓋との間に窓が形成され、且つガスケットが蓋との間に位置される本体とを含み、前記窓は、ガスケットがまつ毛エクステンションのベースまたは毛に弾性的に接触することで、ベースと複数の毛を有するまつ毛エクステンションが窓から突き出すように配置される。
【０００６】
まつ毛エクステンションを収納するためのケースの製造方法の一実施例として、蓋を提供することと、ガスケットを提供することと、本体を提供することとを含んでもよい。本体と蓋が窓を形成するように、蓋を本体に連結することができる。ガスケットは蓋または本体に連結され、ガスケットは蓋と本体との間に位置することができる。ここで、窓は、ガスケットがまつ毛エクステンションのベースまたは毛に弾性的に接触することで、ベースと複数の毛を有するまつ毛エクステンションを窓から突き出すように配置されることができる。
【図面の簡単な説明】
【０００７】
【図１−６】本発明の複数のまつ毛エクステンションを収納するためのケースの一実施例の模式図を示す。
【図７】本発明の目印を有する蓋の一実施例の模式図を示す。
【図８】本発明の蓋および本体の一実施例の模式図を示す。
【図９】本発明のガスケットと傾斜した底板の一実施例の模式図を示す。
【図１０−３３】本発明のケースの一実施例の模式図を示し、そのガスケットは、蓋および本体とは別個である。
【発明を実施するための形態】
【０００８】
総括すると、本発明は、まつ毛エクステンションを収納するための様々なケース、前記ケースの使用方法および製造方法を開示する。特に、これらのケースは、ガスケットまたは傾斜した底板を含み、まつ毛エクステンションが輸送中にケースからずれることを防ぐことに役立ち得る。
【０００９】
図１〜図６は、本発明の複数のまつ毛エクステンションを収納するためのケースの一実施例の模式図を示す。図７は、本発明の目印を有する蓋の一実施例の模式図を示す。図８は、本発明の蓋と本体の一実施例の模式図を示す。図９は、本発明のガスケットと傾斜した底板の一実施例の模式図を示す。具体的に、ケース１００は、蓋１０２と本体、ケースまたはベース１０４を有する。
【００１０】
蓋１０２は、プラスチックを含むが、金属、ゴム、木材、発泡体、または他のものなどの他の材料を含んでもよい。蓋１０２は、不透明であるが、透明または半透明であってもよい。蓋１０２は目の形であるが、開放形状でも閉合形状でもよく、対称でも非対称でもよい。例えば、円形、正方形、長方形、五角形、八角形、三角形、台形またはその他の多角形などの他の形状も可能である。蓋１０２は、本体に着座又は寄りかかり、蓋１０２を本体に接合、締結、インターロック、接着、磁化、シャックル、またはその他の方法で固定的に連結するように、蓋１０２と本体との間の連結は堅固である。
【００１１】
蓋１０２は、外側面１０６を有し、当該外側面１０６は、ブランドマーク、方向指示印、まつ毛エクステンションのスタイルまたはサブスタイルまたは他のしるしなどの様々な目印１０８を載せることができる。目印１０８は、ペースト、圧印、刻印、エンボス、ホログラフィック、バーコード、ＱＲコード（登録商標）、拡張現実のしるし、または他のタイプのしるしであるかどうかにかかわらず、英文字、数字および画像を含むことができる。例えば、キット、パッケージ、容器、封筒、ボックス、複合輸送容器またはシステムは、複数のまつ毛エクステンション１１０のスタイルを含むことができ、それぞれのスタイルはすべてケース１００に独立に載せられることができ、ケース１００の蓋１０２は、まつ毛エクステンション１１０のスタイルの目印１０８またはほかのしるし（例えば、Ｂ．１２またはＡ．１４またはＣ．１０）を載せることができる。外側面１０６は、内向き中心凹部１１２を有するが、平坦な表面、または中心に位置しもしくは偏心したバンプ、または偏心した内向き凹部も可能である。内向き中心凹部１１２には、目印１０８を載せることができる。
【００１２】
本体１０４は、プラスチックを含むが、金属、ゴム、木材、発泡体、または他のものなどの他の材料を含んでもよい。本体１０４は、半透明であるが、不透明または透明であってもよい。本体１０４は、蓋１０２を支持するように配置され、蓋１０２の連結は、接合、締結、インターロック、接着、磁化、シャックル、またはその他の方法などによって、堅固である。本体１０４の内部構造は、蓋１０２の内向き中心凹部１１２を収納することができる。
【００１３】
本体１０４は、外部側壁１１４を有し、外部側壁１１４の外縁は、縦目形状であり、もちろん、開放形状でも閉合形状でもよく、対称でも非対称でもよい。例えば、円形、正方形、長方形、五角形、八角形、三角形、台形またはその他の多角形などの他の形状も可能である。外部側壁１１４は、複数の垂直隔板１１６を有し、複数の垂直隔板１１６は、複数の収納スロット１１８（例えば、窓枠）を形成し、前記収納スロット１１８は、例えば、まつ毛エクステンション１１０を１対１対応で収納するように構成されるが、他のタイプの対応も可能である。例えば、１つの収納スロット１１８は、少なくとも２つのまつ毛エクステンション１１０を収容することができ、ここで、１つのまつ毛エクステンション１１０は、他のまつ毛エクステンションの上に積み重ねられるか、任意の方向に並べて配置される。少なくとも１つの垂直隔板１１６は、内向きであろうか、外向きであろうかにかかわらず、水平または傾斜した頂面を有する。例えば、少なくとも１つの垂直隔板１１６は、正方形、長方形、楕円形、円弧形、三角形、ピラミッド形、ドーム形、くさび形、または他の形状であってもよい。
【００１４】
各収納スロット１１８は、一対の垂直隔板１１６の間で延伸する底板１２０を有し、それによりＵ字型またはＣ字型またはＶ字型またはＷ字型の領域（例えば、少なくとも１つの垂直隔板１１６は、底板１２０との間で鋭角、鈍角、直角を形成することができる）を形成する。底板１２０は、上向きに内側壁１２６の外縁まで延伸し、内側壁１２６は、（例えば、鋭角、鈍角、直角で）内部中心底板１２４に接触し、内部中心底板１２４は、内向き中心凹部１１２の内向き突出部に面し、図８に示したとおりである。内部中心底板１２４は、欠けてもよく、これにより内向き中心凹部１１２の内向き突出部が露出するようにすることに留意されたい。内側壁１２６の外縁は、縦目形状であり、図５および図８に示したとおりである。開放形状でも閉合形状でもよく、対称でも非対称でもよい。例えば、円形、正方形、長方形、五角形、八角形、三角形、台形またはその他の多角形などの他の形状も可能である。例えば、少なくとも１つの収納スロット１１８は、台形、正方形、または長方形の領域を有することができる。内側壁１２６の外縁は、構造的に延伸されて、外部側壁１１４の外縁を模倣する。内側壁１２６は、蓋１０２の内向き中心凹部１１２の突出した内部領域を限定する。内部領域は、液体、ゲル、粉末、物理的なアイテムまたは他のアイテムなどを収納するために使用されることができる。底板１２０は、摩擦増強または摩擦低減コーティング層でコーティングされてもされなくてもよい。例えば、摩擦増強コーティング層はゴムであってよい。例えば、摩擦低減コーティング層は、ポリテトラフルオロエチレン（ＰＴＦＥ）、シリコン、または他のものであり得る。
【００１５】
底板１２０は、内側または外側にもかかわらず、外部側壁１１４に対して垂直または傾斜していてもよい（例えば、底板１２０は、外部側壁１１４に対して鋭角、鈍角、または直角を形成してもよい）。図９に示したように、傾斜角は、約９０度未満、約７５度未満、約６０度未満、約５０度未満、約４５度未満、約３０度未満、約１５度未満、約１０度未満、約７度未満、約５度未満、約３度未満、または中間値を含むその他の値であってよい。例えば、底板１２０が外部側壁１１４に対して約３０度または約３０度未満の角度でケース１００の中心に内向きに急傾斜している場合、そこに収納されたまつ毛エクステンション１１０を上方に支持するか、又は上方向きの傾斜角を形成することができ、使用中（例えば、輸送ケース）に脱落しにくくなる。
【００１６】
底板１２０は、滑らかでも粗くてもよい。例えば、底板１２０は、ケース１００の輸送などの使用中のまつ毛エクステンション１１０の移動を低減するために、テクスチャ（例えば、平行線、交差線）処理することができる。底板１２０は、内側または外側にかかわらず、ローレット（ｋｎｕｒｌｉｎｇ）、シェーディング、スパイク、バンプ、または他の形態などの様々な方法でテクスチャリングすることができる。底板１２０は、溝が付けられていても、隆起していてもよい。例えば、底板１２０は、外部側壁１１４に向かって放射状にまたは非放射状に（例えば、太陽光のように）延伸される複数の縦方向の突起が形成されてもよい。例えば、底板１２０は、Ｕ字型、Ｃ字型、Ｄ字型、Ｂ字型、Ｗ字型、Ｖ字型、または任意の他の形状の突起を有する少なくとも２つの平行または非平行、直線または非直線、連続または不連続の突起を収容することができる。
【００１７】
蓋１０２が本体１０４に配置される時、収納スロット１１８の体積は、等しくても等しくなくてもよく、逆も同様である。蓋１０２が本体１０４に配置される時、収納スロット１１８は、窓１２２と同じまたは異なる形状および／またはサイズ（例えば、異なる長さまたは高さ）を有することができる。収納スロット１１８が本体１０４のコーナー部に近づくにつれて、収納スロット１１８の体積、面積または窓１２２の形状は、縮小されてもされなくてもよい（例えば、中心に位置するまつ毛エクステンション１１０の長さ、幅、または厚さは、コーナー部の長さ、幅、または厚さとは異なる場合があり、またはまつ毛エクステンション１１０は、ユーザーによって混合および適合され得る）。収納スロット１１８は、同じサイズまたは同じ構造のまつ毛エクステンション１１０を収納してもよく、まつ毛エクステンション１１０は、同じスタイルであっても、同じスタイルを避けてもよい。収納スロット１１８は、異なるサイズまたは異なる構造のまつ毛エクステンション１１０を収納することができ、まつ毛エクステンションは、同じスタイルであっても、同じスタイルであることを避けてもよい。例えば、ケース１００は、同じサイズまたは同じ構造のまつ毛エクステンション１１０（例えば、特定のまつ毛エクステンションスタイル、またはベースから延伸される同じ長さの毛、または同じ長さのベース、または各ベースまたは毛の厚さが同じ数の毛のクラスタ）を収納することができる。例えば、融合した毛の数は、約３０から約４０の間、または約３０から３５の間、または約３１から３３の間であり得る。
【００１８】
蓋１０２が本体１０４に固定され、収納スロット１１８にまつ毛エクステンション１１０が収容されると、蓋１０２と本体１０４は、構造的にお互いに協働して、まつ毛エクステンション１１０に過度の圧力が加わることを回避する（例えば、まつ毛エクステンション１１０のカールを保護して、蓋１０２の下向きの圧力を最小限に抑える）が、まつ毛エクステンション１１０がケース１００から落ちないように、構造は依然として互いに協働する必要がある。
【００１９】
図８は、本発明によるケース１００の一実施例を示し、この図は、開かれたケース１００の模式図であり、ケース１００は、互いに分離された蓋１０２および本体１０４を有する。蓋１０２は不透明であるが、透明または半透明であってもよい。本発明で説明されるように、蓋１０２は、内側面（例えば、底面）を有し、内側面は、内向き中心凹部１１２に対応する中心が外側に突出した領域１２８を有する。本発明で説明されるように、中心が外側に突出した領域１２８の中央には目印１０８が設置され、前記目印１０８は、ケース１００に収納されたまつ毛エクステンションのスタイルに対応する。目印１０８はまた、非中心位置に配置されてもよいことに留意されたい。中心が外側に突出した領域１２８は、平坦または内向きの凹面などの非突出であってもよい。
【００２０】
中心が外側に突出した領域１２８は、蓋１０２の内側（例えば、直角、鋭角、鈍角）から延伸された壁１３０（例えば、連続、不連続、中実、穿孔）によって囲まれている。壁１３０は、縦目形状であり、もちろん、開放形状でも閉合形状でもよく、対称でも非対称でもよい。例えば、円形、正方形、長方形、五角形、八角形、三角形、台形またはその他の多角形などの他の形状も可能である。
【００２１】
壁１３０は、弾性バンド１３２によって囲まれていてもよいが、弾性、可撓性、変形可能、屈曲可能、または非剛性の部材も可能である。本発明で説明されるように、弾性バンド１３２は、まつ毛エクステンション１１０に対するガスケットとして機能することができる。弾性バンド１３２は、ゴム、発泡体、またはプラスチックを使用できるが、膨張式バルーン、あるいは流体（例えば、液体または気体）、または砂、粉末、またはビーズ／球体（例えば、剛性または可撓性または弾性など）または他の材料を収容した管状容器も使用できる。
【００２２】
弾性バンド１３２は、壁１３０の周長に沿って縦方向に連続している。しかし、弾性バンド１３２は、互いに離間した、例えば不連続な複数の弾性ストリップであってもよい。弾性バンド１３２の形状は、任意の閉合形または開放形（例えば、Ｏ字型、Ｃ字型、Ｕ字型、Ｖ字型、Ｊ字型、Ｄ字型、目の形状、円形、正方形、三角形、五角形、六角形、八角形、多角形、対称、非対称、略楕円形（ｏｖａｌ）、楕円形（ｅｌｌｉｐｓｅ）、卵形）であり得る。弾性バンド１３２は、一般に閉合形であるが、壁１３０に取り付けられる前は特定の形状を有していない（例えば、固定された方法に従って動的に変化する）。壁１３０に取り付けられた後、壁１３０の形状に対応する特定の形状に形成される。弾性バンド１３２は、壁１３０の形状に対応するように、壁１３０に取り付ける前に特定の形状に形成されてもよい。弾性摩擦力または壁１３０を内側に押すことにより、弾性バンド１３２を固定位置に保持することができる。弾性バンド１３２は、内側に連結または固定することができる（例えば、付着、接着、接合、フック、締結、インターロック、ブラケット）。弾性バンド１３２は、蓋１０２と視覚的に異なっていても異なることを避けてもよい（例えば、色、影、パターン）。
【００２３】
蓋１０２の内側には、縦方向に互いに間隔を置いて配置され、弾性バンド１３２の周りに縦方向に延伸された複数の突起１３４が設置される。突起１３４は、蓋１０２の内側から外向きに延伸されたため、両者の間に複数の中空の収納部１４４（例えば、Ｕ字型、Ｖ字型、Ｃ字型）が形成される。しかし、蓋１０２の内側の２つの頂点では、前記突起１３４の間に一対のリフトスロット１３６またはオープンスペース（例えば、三角形、Ｖ字型、台形）が形成され、これにより、蓋１０２を本体１０４から取り外すことに役立ち、逆も同様である（例えば、分離力を印加するための１つのグリップ領域の形成）。突起１３４は、蓋１０２の内側（例えば、加圧成形、３Ｄプリント、鋳造、プレス加工、配線）と一体化され、同じ材料（例えば、プラスチック、ゴム、金属）を使用する。しかし、突起１３４は、蓋１０２の内側に連結されてもよい（例えば、接着、磁化、取り付け、インターロック、嵌合、結合）。
【００２４】
各縦方向側の突起１３４の形状または体積は、互いに同じであっても異なっていてもよい。突起１３４の形状は、対称または非対称にかかわらず、ブロック形状（例えば、台形、直方体、コニカル、Ｄ字型）である。各縦方向側の突起１３４の体積または形状は変更されてもよい（例えば、コーナー部に近い突起１３４の体積または形状は、コーナー部から離れた突起１３４より小さい）。
【００２５】
蓋１０２が本体１０４上に配置されるか、またはその逆であり、本体１０４の収納スロット１１８にまつ毛エクステンション１１０が収納されると、少なくとも１つの突起１３４は、まつ毛エクステンション１１０に面し、まつ毛エクステンション１１０に接触する外側面を有する。当該外側面は、弾性バンド１３２に近いラフ領域１３８と、弾性バンド１３２から離れたスムーズ領域１４０とを有する。ラフ領域１３８とスムーズ領域１４０は互いに隣接しているが、もちろん、ラフ領域１３８とスムーズ領域１４０は、中間領域によって分離されることもできる。ラフ領域１３８は、摩擦増強材料（例えば、ゴム、プラスチック、発泡体）でコーティングされるか、またはテクスチャ部分（例えば、平行線、交差線）を含み得る。ラフ領域１３８が収納スロット１１８中のまつ毛エクステンション１１０と接触しているとき、収納スロット１１８中のまつ毛エクステンション１１０の移動を制限するか、またはまつ毛エクステンション１１０が収納スロット１１８から取り外れることを防ぐのに役立つ。テクスチャ部分は、内側または外側にかかわらず、ローレット、シェーディング、スパイク、バンプ、または他の形態などの様々な方法でテクスチャリングすることができる。しかし、突起１３４のこの側面はまた、スムーズ領域１４０またはラフ領域１３８を欠いている場合があることに留意されたい。
【００２６】
本体１０４は、蓋１０２の突出した領域１２８に面する内部中心底板１２４（例えば、平坦な、内側に凹んだ、外側に突出した）を含む。しかし、内部中心底板１２４を欠いていてもよい。内部中心底板１２４は不透明であるが、透明または半透明であってもよい。内部中心底板１２４は、複数の隔板１１６が内側壁１２６から径方向に延伸されて、複数のまつ毛エクステンション１１０を収納するための複数のスロット１１８を形成する。内側壁１２６は、一対の頂部隔板１４２（例えば、三角形、Ｖ字型、台形）を有し、頂部隔板１４２は、蓋１０２のリフトスロット１３６に対応し、逆も同様である。
【００２７】
本発明で説明されるように、ケース１００が閉じられると、本体１０４は、まつ毛エクステンション１１０を隔板１１６との間のスロット１１８に収納し、蓋１０２は、本体１０４に着座又は寄りかかり、蓋１０２と本体との間の連接は堅固である。この状態において、蓋１０２の内壁１３０は、本体１０４の内側壁１２６に同心的に接合する（例えば、本体１０４の内側壁１２６は、弾性バンド１３２と蓋１０２の内壁１３０との間に同心的に配置される）。本体の隔板１１６は、収納部１４４に収容される。リフトスロット１３６は、頂部隔板１４２に面する。突起１３４は、収納スロット１１８に面し、まつ毛エクステンション１１０に接触し、内側のラフ領域１３８とまつ毛エクステンション１１０の摩擦接合によって、同時にまつ毛エクステンション１１０が収納スロット１１８から脱落しないことを確保する。しかし、弾性バンド１３２は動的にまたは弾性的にまたは変形可能に（例えば、ガスケットまたは動的バリアのように）曲がるので、まつ毛エクステンション１１０に不適切な圧力を加えることを避ける必要があり、特にまつ毛エクステンション１１０が異なるスタイル（例えば、長さ、幅、厚さ、髪の毛の材料が異なる）である場合、または本体１０４の各縦方向側のまつ毛エクステンション１１０が同じスタイルでない場合（例えば、コーナー部に近づくまつ毛エクステンション１１０とコーナー部から離れたまつ毛エクステンション１１０が異なる場合）。まつ毛エクステンション１１０に過度の圧力を加えることを回避し、同時まつ毛エクステンション１１０が収納スロット１１８から落ちないことを確保するために、弾性バンド１３２は使用しなくてもよいが、蓋１０２の構造化は必要があることに留意されたい（例えば、蓋１０２とまつ毛エクステンション１１０との間に十分な隙間を残すために傾斜した底板１２０を設置）。例えば、一実施例において、まつ毛エクステンション１１０が収納スロット１１８から脱落することを防ぐのを助けるために、底板１２０に接着剤または摩擦コーティング層を設置することができる。もちろん、接着剤の量および種類は、まつ毛エクステンション１１０が収納スロット１１８から取り外されたときに、まつ毛エクステンション１１０が損傷されないようなものであり得る。
【００２８】
ケース１００は、金属、プラスチック、または他の何らかの材料（例えば、発泡体）から部分的または全体的に構成され得る。例えば、いくつかの実施例において、ケース１００は、（例えば、美観および改善された洗浄性のための）滑らかな粉末コーティング層を有する（例えば、強度および耐久性のための）モールド金属本体を含む。他の実施例において、ケース１００は、長期間（例えば、数ヶ月または数年）使用される代わりに、リサイクル可能（例えば、使い捨て）であるプラスチック本体を含む。当業者は、任意の適切な材料が使用され得ることを認識する。例えば、いくつかの実施例において、プラスチックはリサイクル可能であり、まつ毛エクステンションを個人のまつげに固定する前にまつげ融合に使用される接着剤の粘着性に抵抗できるため、望ましい場合がある。
【００２９】
なお、ケース１００の外面は、実質的に滑らかで連続的であり得る。したがって、これらの部品の外面には、ギャップ、隆起、または留め具が基本的にない場合があり、これらのギャップ、隆起、または留め具は、洗浄を困難にし、または誤ってまつげを捉えたりする場合がある。
【００３０】
図１０〜図３３は、本発明のケースの実施例を示し、そのガスケットは、蓋および本体とは別個である。ケース２００は、サイズおよび機能においてケース１００と同様であるが、いくつかの著しい違いがある。具体的に、図１８、図２１〜図２６、および図２９〜図３３に示したように、ケース２００は蓋１０２および本体１０４を有し、蓋１０２および本体１０４はガスケット２０２とは別個である。なお、図１２、図１７、図２０、図２５、図２８、および図３３に示したように、内部中心底板１２４は、側壁１１４から離間される。この構造はより少ない材料の使用に有利である。また、ガスケット２０２は、図１８、図２１〜図２６、および図２９〜図３３に示したように、本体１０４と協働するか、または逆も同様である。
【００３１】
ガスケット２０２は、底板２０４、側壁２０６および複数のタブ２０８を有する。底板２０４は一体であるが、組み立てることができる（例えば、パズル、マッチング、インターロック、接着、磁化、固定）。側壁２０６は、一体であるが、組み立てることができる（例えば、パズル、マッチング、インターロック、接着、磁化、固定）。少なくとも１つのタブ２０８は一体であるが、組み立てることができる（例えば、パズル、マッチング、インターロック、接着、磁化、固定）。底板２０４、側壁２０６、および少なくとも１つのタブ２０８のうちの少なくとも１つは、プラスチック、金属、ゴム、発泡体、合金、木材、または他の材料を含む。タブ２０８は、本発明によってさらに提供されるように、まつ毛エクステンションをスロット１１８内に維持するために、可撓性または変形可能でなければならない。
【００３２】
底板２０４は目の形であるが、開放形状または閉合形状、対称または非対称にもかかわらず、異なる形状（例えば、正方形、長方形、円形、楕円形、三角形、五角形、六角形、八角形、Ｕ字型、Ｃ字型、Ｄ字型）を有することができる。側壁２０６は底板２０４から延伸されて、内部キャビティ２１０を形成することができる。側壁２０６と底板２０４は一体であるが、組み立てることができる（例えば、固定、マッチング、インターロック、磁化）。側壁２０６は目の形であるが、開放形状または閉合形状、対称または非対称にもかかわらず、異なる形状（例えば、正方形、長方形、円形、楕円形、三角形、五角形、六角形、八角形、Ｕ字型、Ｃ字型、Ｄ字型）を有することができる。したがって、内部キャビティ２１０は目の形であるが、開放形状または閉合形状、対称または非対称にもかかわらず、異なる形状（例えば、正方形、長方形、円形、楕円形、三角形、五角形、六角形、八角形、Ｕ字型、Ｃ字型、Ｄ字型）を有することができる。底板２０４は、中央開口部２１２を有するが、中央開口部２１２を穿孔設置ことを回避することも可能である。中央開口部２１２は、円形であるが、開放形状または閉合形状、対称または非対称にもかかわらず、異なる形状（例えば、正方形、長方形、円形、楕円形、三角形、五角形、六角形、八角形、Ｕ字型、Ｃ字型、Ｄ字型）を有することができる。
【００３３】
タブ２０８は、互いに離間しており、底板２０４または内部キャビティ２１０を超えることなく、側壁２０６から径方向に沿って、内部キャビティ２１０から外向きに延伸される。例えば、少なくとも１つのタブ２０８は、Ｌ字型で側壁２０６から延伸される。窓１２２を正面から見ると、タブ２０８が見える。タブ２０８は側壁２０６と一体であるが、組み立てることができる（例えば、固定、マッチング、インターロック、接着、磁化）。タブ２０８はＶ字型であるが、開放形状または閉合形状、対称または非対称にもかかわらず、異なる形状（例えば、Ｉ字型、Ｌ字型、Ｕ字型、Ｃ字型、Ｗ字型、Ｍ字型、Ｄ字型、Ｓ字型、Ｊ字型、Ｙ字型、Ｐ字型）を有することができる。例えば、タブ２０８はＶ字型であるため、各タブ２０８は、各スロット１１８内の各まつ毛エクステンション１１０を弾性的に固定する中心頂点を有し、それにより各まつ毛エクステンション１１０を各スロット１１８に弾性的に接合することができる。
【００３４】
図１８、図２１〜図２６および図２９〜図３３に示したように、蓋１０２が本体１０４に連結され、まつ毛エクステンション１１０がスロット１１８内に配置され、壁１３０が中央開口部２１２の周りに設置された底板２０４に面し、接触し、または接合されると、ガスケット２０２は蓋１０２と本体１０４との間に挟まれ、同時に底板２０４は蓋１０２の突出した領域１２８と本体１０４の底板１２４との間に位置することができる。同様に、タブ２０８は、隔板１１６の間に形成されたスロット１１８内で底板１２０に延伸され、タブ２０８がスロット１１８内のまつ毛エクステンション１１０に弾性的に接合し、それによりまつ毛エクステンション１１０をスロット１１８内に弾性的に固定する。したがって、ユーザーがまつ毛エクステンション１１０を手動またはアプリケーターによってスロット１１８から取り外したい場合、まつ毛エクステンション１１０はタブ２０８によってスロット１１８に弾性的に固定されているので、ユーザーはタブ２０８から離れた方向（例えば、径方向、横方向）で、まつ毛エクステンション１１０をタブ２０８とスロット１１８の間から取り出すことができる。別の選択として、または同時に、ユーザーはタブ２０８を持ち上げてまつ毛エクステンション１１０の弾性を解放し、次にまつ毛エクステンションをタブ２０８から離れる方向（例えば、径方向、横方向）に引っ張って、まつ毛エクステンション１１０をスロット１１８からすべるようにして抜け出すことができる。一実施例において、蓋１０２は、ガスケット２０２に押し付けられてガスケット２０２を押し下げるように構成され、それにより、タブ２０８がタブ２０８と底板１１８との間に設置されたまつ毛エクステンション１１０に圧力を加えることができる。蓋１０２が持ち上げられているが、本体１０４から取り外されていない場合、ガスケット２０２への圧力が減少し、それにより、まつ毛エクステンション１１０に対するタブ２０８の圧力が減少する。
【００３５】
タブ２０８はスロット１１８と１対１の対応関係で示されているが、これは変更することができる（例えば、単一のスロット１１８内に複数のタブ２０８を設置する）。なお、タブ２０８は互いに離間して複数のタブ２０８を形成するが、この構成は変更されてもよく、複数のスロット１１８は同じタブ２０８を共有してもよい（例えば、タブ２０８は互いに離間せず、単一のタブ２０８を形成する）。また、内向き中心凹部１１２は、中央開口部２１２および凸部２１４（例えば、対称軸、回転軸）と軸方向に位置合わせされてもよいことに留意されたい。
【００３６】
本体１０４が１つの凸部２１４（例えば、突起、ポスト、ベース）を有する場合、凸部２１４は内部が中空または中実であってもよく、ガスケット２０２を凸部２１４に挿入することにより、ガスケット２０２と本体１０４とを緊密にはめ合うようにすることができる。凸部２１４はまた、図１８、図２１〜図２６および図２９〜図３３に示されたように、中央開口部２１２に延びることができる締結部を有することができ、または逆も同様である。しかし、逆の構造も可能である。ガスケット２０２は、１つの凸部２１６（例えば、ポスト、ベース、内部が中空または中実であり得る）を有し、本体１０４は、１つの中央開口部２１８を有する。同様に、ガスケット２０２を凸部２１６に挿入して、ガスケット２０２と本体１０４を緊密にはめ合うようにすることができる。図１８、図２１〜図２６および図２９〜図３３に示したように、凸部２１６は、中央開口部２１８に延びることができる締結部を有することもでき、または逆も同様である。中央開口部２１２または中央開口部２１８はまた、偏心していてもよいことに留意されたい。同様に、凸部２１４または凸部２１６は、偏心していてもよい。
【００３７】
ガスケット２０２は、本体１０４内に密接に配置されても、または密接に配置されなくてもよい。図１８、図２１〜図２６、および図２９〜図３３に示したように、側壁２０６には、複数の連結部２２０が設置される。同様に、連結部２２０が凸部（例えば、突起、ポスト、ベース）である場合、内側壁１２６の内側は、連結部２２０に密接に嵌合できる複数の凹部２２２（例えば、窪み、開口部）を有する。逆に、連結部２２０が凹部（例えば、窪み、開口部）である場合、内側壁１２６の内側は、連結部２２０に密接に嵌合できる複数の凸部（例えば、突起、ポスト、ベース）を有する。したがって、ガスケット２０２が本体１０４内に密接することを可能にする。例えば、ガスケット２０２は、本体１０４にスナップ留めすることができ、逆も同様である。しかし、連結部２２０が存在しない場合、ガスケット２０２は、本体１０４内に密接（例えば、自由に）に配置されない場合がある。なお、本体１０４およびガスケット２０２の形状により、ガスケット２０２は依然として本体１０４内に密接することができることに留意されたい。例えば、ガスケット２０２と本体１０４は目の形状であるため、ガスケット２０２は依然として密接した状態を維持することができ、本体１０４内で回転することができない。ガスケット２０２が本体１０４から取り外された場合にのみ、ガスケット２０２を回転させ、その後、本体１０４に挿入して戻すことができる。複数の連結部２２０を互いに離間させてもよいし、連結部２２０を離間させずに単一の連結部２２０を形成してもよい。一実施例において、ガスケット２０２は、ケースが２つまたは実際には２つの構成要素（すなわち、本体１０４および蓋１０２／ガスケット２０２）から構成されるように、蓋１０２の一部であるか、蓋１０２に連結され得る。
【００３８】
まつ毛エクステンションを収納するためのケースの製造方法の一実施例として、蓋を提供することと、ガスケットを提供することと、本体を提供することとを含むことができる。本体と蓋が窓を形成するように、蓋を本体に連結することができる。ガスケットを蓋または本体に連結し、ガスケットが蓋と本体との間に位置することができる。窓は、ガスケットがまつ毛エクステンションのベースまたは毛に弾性的に接触する時、ベースと複数の毛を有するまつ毛エクステンションを窓から突き出すように配置されることができる。
【００３９】
本発明の図１〜図３３の説明によれば、本発明のいくつかの実施例が示されている。しかし、本発明は、多くの異なる形態で具体化することができ、本発明で開示された実施例に必ずしも限定されると解釈されるべきではない。逆に、これらの実施例を提供することにより、本発明の開示を完全かつ完全にすることができ、本発明に開示された様々な概念を当業者に完全に伝えることができる。
【００４０】
本発明で使用される用語「約」および／または「基本的に」は、公称値／用語からの±１０％の変化を指す。そのような変更が具体的に言及されているかどうかに関係なく、そのような変更は、本発明によって指定される任意の所与の値／用語に常に含まれる。
【００４１】
本発明は好ましい実施例を詳細に説明し記載したが、当業者は本発明の開示から逸脱することなく様々な修正、追加、置換などを行うことができ、したがって、特許請求の範囲に記載されているように、これらは本開示の範囲内であると見なされる。
【図１】
2021509322.tif 000003
【図２】
2021509322.tif 000004
【図３】
2021509322.tif 000005
【図４】
2021509322.tif 000006
【図５】
2021509322.tif 000007
【図６】
2021509322.tif 000008
【図７】
2021509322.tif 000009
【図８】
2021509322.tif 000010
【図９】
2021509322.tif 000011
【図１０】
2021509322.tif 000012
【図１１】
2021509322.tif 000013
【図１２】
2021509322.tif 000014
【図１３】
2021509322.tif 000015
【図１４】
2021509322.tif 000016
【図１５】
2021509322.tif 000017
【図１６】
2021509322.tif 000018
【図１７】
2021509322.tif 000019
【図１８】
2021509322.tif 000020
【図１９】
2021509322.tif 000021
【図２０】
2021509322.tif 000022
【図２１】
2021509322.tif 000023
【図２２】
2021509322.tif 000024
【図２３】
2021509322.tif 000025
【図２４】
2021509322.tif 000026
【図２５】
2021509322.tif 000027
【図２６】
2021509322.tif 000028
【図２７】
2021509322.tif 000029
【図２８】
2021509322.tif 000030
【図２９】
2021509322.tif 000031
【図３０】
2021509322.tif 000032
【図３１】
2021509322.tif 000033
【図３２】
2021509322.tif 000034
【図３３】
2021509322.tif 000035
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
蓋と、
ガスケットと、
蓋に連結され、蓋との間に窓が形成され、ガスケットが蓋との間に位置される本体と、を含み、
前記窓は、ガスケットがまつ毛エクステンションのベースまたは毛に弾性的に接触することで、ベースと複数の毛を有するまつ毛エクステンションを窓から突き出すように配置されることを特徴とするケース。
【請求項２】
前記蓋は、内側面を有し、前記ガスケットは、蓋の内側面に連結されることを特徴とする請求項１に記載のケース。
【請求項３】
前記蓋の外側面には目印が設置され、前記目印は方向指示印であることを特徴とする請求項１に記載のケース。
【請求項４】
前記まつ毛エクステンションは第１のまつ毛エクステンションであり、前記ベースは第１のベースであり、前記毛は複数の第１の毛であり、前記まつ毛エクステンションは、第２のベースと複数の第２の毛を有する第２のまつ毛エクステンションをさらに含み、前記第２の毛は前記第２のベースから延伸し、ガスケットが第２のベースまたは第２の毛を接触すると、第２の毛は前記窓から突き出されることを特徴とする請求項１に記載のケース。
【請求項５】
前記第１の毛と第２の毛は同じ平面に位置することを特徴とする請求項４に記載のケース。
【請求項６】
前記本体は、前記窓に通じる底板を有し、前記蓋が前記本体に連結されていないとき、前記底板は、前記ベースおよび毛を支持し、前記底板は傾斜していることを特徴とする請求項１に記載のケース。
【請求項７】
前記底板は、外側に傾斜していることを特徴とする請求項６に記載のケース。
【請求項８】
前記本体は、前記窓に通じる底板を有し、前記蓋が前記本体に連結されていないとき、前記底板は、前記ベースおよび毛を支持し、前記底板は粗い部分を有することを特徴とする請求項１に記載のケース。
【請求項９】
前記本体が前記蓋に連結されると、前記窓は、前記本体と前記蓋とによって形成される一組の窓の１つであることを特徴とする請求項１に記載のケース。
【請求項１０】
前記蓋は、内側面を有し、前記内側面は、そこから延伸する壁を有し、前記ベースは、前記窓と前記壁との間に延伸し、前記ガスケットの少なくとも一部は、前記壁と前記窓との間に延伸することを特徴とする請求項１に記載のケース。
【請求項１１】
前記ガスケットは、弾性バンドであることを特徴とする請求項１に記載のケース。
【請求項１２】
前記ガスケットは、弾性を有することを特徴とする請求項１に記載のケース。
【請求項１３】
前記ガスケットは、連続的であることを特徴とする請求項１に記載のケース。
【請求項１４】
前記蓋は、内側面を有し、前記内側面は、そこから延伸する壁を有し、前記ベースの少なくとも一部は、前記窓と前記壁との間に延伸し、前記ガスケットの少なくとも一部は、前記壁と前記窓との間に延伸し、前記ガスケットは閉合形状であるが、壁に取り付ける前は明確な形状にならず、壁に取り付けた後は壁の形状に対応するように明確な形状になることを特徴とする請求項１に記載のケース。
【請求項１５】
前記蓋は、内側面を有し、前記内側面は、そこから延伸する壁を有し、前記ベースは、前記窓と前記壁との間に延伸し、前記ガスケットは、前記壁と前記窓との間に延伸し、前記ガスケットは壁の形状に対応するように壁に取り付ける前は明確な形状になっていることを特徴とする請求項１に記載のケース。
【請求項１６】
前記蓋は、内側面を有し、前記内側面は、そこから延伸する壁を有し、前記ベースは、前記窓と前記壁との間に延伸し、前記ガスケットは、前記壁と前記窓との間に延伸し、前記壁への弾性摩擦力または前記壁への内部に向けた圧力により、前記ガスケットを元の位置に保持することを特徴とする請求項１に記載のケース。
【請求項１７】
前記蓋は、内側面を有し、前記内側面は、そこから延伸する壁を有し、前記ベースは、前記窓と前記壁との間に延伸し、前記ガスケットは、前記壁と前記窓との間に延伸し、前記ガスケットは、前記壁に固定されていることを特徴とする請求項１に記載のケース。
【請求項１８】
前記蓋は、お互いに離間され、ガスケットに沿って延伸する複数の突起を有し、前記本体が前記蓋に連結すると、少なくとも１つの前記突起は、前記ベースまたは毛に接合し、前記本体が前記蓋に連結すると、少なくとも１つの突起は、ガスケットと窓との間に位置することを特徴とする請求項１に記載のケース。
【請求項１９】
少なくとも１つの前記突起は、ガスケットが位置する領域に近接し、前記領域は、前記領域がまつ毛エクステンションに接触したとき、まつ毛エクステンションの移動を摩擦によって制限することを助けるように配置されることを特徴とする請求項１８に記載のケース。
【請求項２０】
ガスケットがベースまたは毛に弾性的に接触すると、前記毛が窓の外に突き出ることを特徴とする請求項１に記載のケース。
【請求項２１】
前記ガスケットは、前記蓋および前記本体と分離していることを特徴とする請求項１に記載のケース。
【請求項２２】
前記ガスケットは、１つの壁および複数のタブを含み、前記タブは、壁から放射状に伸びており、少なくとも１つのタブは、ベースまたは毛に接触していることを特徴とする請求項２１に記載のケース。
【請求項２３】
前記少なくとも１つのタブは、ベースまたは毛に接触する突起を有することを特徴とする請求項２２に記載のケース。
【請求項２４】
前記少なくとも１つのタブは、Ｌ字型で壁から伸びていることを特徴とする請求項２３に記載のケース。
【請求項２５】
まつ毛エクステンションを収納するためのケースの製造方法であって、
蓋を提供することと、
ガスケットを提供することと、
本体を提供することと、
本体と蓋が窓を形成するように、蓋を本体に連結させ、ガスケットを蓋または本体に連結し、ガスケットが蓋と本体との間に位置させることとを含み、
前記窓は、ガスケットがまつ毛エクステンションのベースまたは毛に弾性的に接触することにより、ベースと複数の毛を有するまつ毛エクステンションを窓から突き出すように配置されることを特徴とするケースの製造方法。
【国際調査報告】
2021509322.tif 000036